(57)【要約】【課題】  大きな減衰量を小型且つ低コストで実現可能なフィルタ回路を提供する。【解決手段】  入力信号を２つの信号に分配する分配器１と、分配器１により分配された一方の信号の位相を変化させる位相器２と、位相器２により位相が変化された信号と分配器１により分配された他方の信号とを合成して出力信号とする合成器３と、を備える。【選択図】    図１
2005136590.tif 000002
【特許請求の範囲】
【請求項１】
入力信号を２つの信号に分配する分配器と、
前記分配器により分配された一方の信号の位相を変化させる位相器と、
前記位相器により位相が変化された信号と前記分配器により分配された他方の信号とを合成して出力信号とする合成器と、
を備えることを特徴とするフィルタ回路。
【請求項２】
当該フィルタ回路により減衰すべき所望の周波数成分において、
前記合成器に入力される双方の信号の位相差が１８０度となり、且つ、双方の信号の振幅が互いに等しくなるように設定されていることを特徴とする請求項１に記載のフィルタ回路。
【請求項３】
前記分配器により分配された少なくとも一方の信号の振幅を変化させる振幅変化手段を備えることを特徴とする請求項１又は２に記載のフィルタ回路。
【請求項４】
前記振幅変化手段は、振幅の変化割合が可変に構成された可変増幅器であることを特徴とする請求項３に記載のフィルタ回路。
【請求項５】
前記振幅変化手段を前記分配器と前記位相器との間に備えることを特徴とする請求項３又は４に記載のフィルタ回路。
【請求項６】
前記振幅変化手段を前記位相器と前記合成器との間に備えることを特徴とする請求項３又は４に記載のフィルタ回路。
【請求項７】
前記振幅変化手段を前記分配器と前記合成器との間に備えることを特徴とする請求項３又は４に記載のフィルタ回路。
【請求項８】
前記振幅変化手段を、
前記分配器と前記位相器との間と、
前記分配器と前記合成器との間と、
にそれぞれ備えることを特徴とする請求項３又は４に記載のフィルタ回路。
【請求項９】
前記位相器は、位相の変化量が可変に構成された可変位相器であることを特徴とする請求項１乃至８のいずれか一項に記載のフィルタ回路。
【請求項１０】
入力信号を２つの信号に分配する分配器と、
前記分配器により分配された一方の信号の位相を変化させる第１位相器と、
前記分配器により分配された他方の信号の位相を変化させる第２位相器と、
前記第１及び第２位相器によりそれぞれ位相が変化された双方の信号を合成して出力信号とする合成器と、
を備えることを特徴とするフィルタ回路。
【請求項１１】
前記第１及び第２位相器のうち一方は信号の位相を早めるように、他方は信号の位相を遅らせるように、それぞれ構成されていることを特徴とする請求項１０に記載のフィルタ回路。
【請求項１２】
当該フィルタ回路により減衰すべき所望の周波数成分において、
前記合成器に入力される双方の信号の位相差が１８０度となり、且つ、双方の信号の振幅が互いに等しくなるように設定されていることを特徴とする請求項１０又は１１に記載のフィルタ回路。
【請求項１３】
前記分配器により分配された少なくとも一方の信号の振幅を変化させる振幅変化手段を備えることを特徴とする請求項１０乃至１２のいずれか一項に記載のフィルタ回路。
【請求項１４】
前記振幅変化手段は、振幅の変化割合が可変に構成された可変増幅器であることを特徴とする請求項１３に記載のフィルタ回路。
【請求項１５】
前記第１及び第２の位相器は、位相の変化量が可変に構成された可変位相器であることを特徴とする請求項１０乃至１４のいずれか一項に記載のフィルタ回路。
【請求項１６】
入力信号を２つの信号に分配する分配器と、
前記分配器により分配された一方の信号を減衰させるフィルタと、
前記分配器により分配された他方の信号の振幅を調整するための可変増幅器と、
前記他方の信号の位相を調整するための可変位相器と、
前記可変位相器による位相調整及び前記可変増幅器による振幅調整を何れかの順序で経た前記他方の信号と、前記フィルタによる減衰を経た前記一方の信号と、を合成して出力信号とする合成器と、
を備えることを特徴とするフィルタ回路。
【請求項１７】
前記フィルタにより減衰すべき所望の周波数成分において、
前記合成器に入力される双方の信号の位相差が１８０度となり、且つ、双方の信号の振幅が互いに等しくなるように、
前記可変位相器と前記可変増幅器とがそれぞれ調整されていることを特徴とする請求項１６に記載のフィルタ回路。
【請求項１８】
入力信号を複数の信号に分配する分配器と、
前記分配器により分配された信号を合成する合成器と、
前記分配器による分配後、且つ、前記合成器による合成前の信号、のうち少なくとも何れか１つの信号の位相を変化させる位相器と、
を備えることを特徴とするフィルタ回路。
【発明の詳細な説明】
【技術分野】
【０００１】
本発明は、フィルタ回路に関する。
【背景技術】
【０００２】
図１６に従来のフィルタ回路の一例を示す。
【０００３】
図１６に示す従来のフィルタ回路１００は、コンデンサＣ１０１、Ｃ１０２、Ｃ１０３、コイルＬ１０１を備えて構成されている。
【０００４】
このうちコンデンサＣ１０１の一端は信号の入力端に、他端はグランドに、それぞれ接続されている。コイルＬ１０１の一端は信号の入力端に、他端は出力端に、それぞれ接続されている。コンデンサＣ１０２はコイルＬ１０１と並列に接続されている。更に、コンデンサＣ１０３の一端は信号の出力端に、他端はグランドに、それぞれ接続されている。
【０００５】
図１７はフィルタ回路１００の減衰特性（帯域特性）を示し、その拡大図を図１８に示す。
【０００６】
図１８において、ｍ１はコイルＬ１０１のＱが１０の場合の減衰量（ｄＢ）を示し、ｍ２はＱが１００の場合、ｍ３はＱが１０００の場合をそれぞれ示す。
【０００７】
図１８に示すように、コイルのＱが１０の場合の減衰量は約−４６ｄＢ、１００の場合の減衰量は約−６５ｄＢ、１０００の場合の減衰量は約−７２ｄＢである。
【発明の開示】
【発明が解決しようとする課題】
【０００８】
従来のフィルタ回路１００において、例えば図１８におけるｍ３の場合のような大きな減衰量を得るためには、Ｑが大きな値（例えば１０００）の素子を用いる必要がある。
【０００９】
このようにＱが大きな素子を用いる場合、フィルタ回路１００のコストアップと大型・重量化を招いてしまう。
【００１０】
フィルタ回路は、半導体回路上で構成される場合もあるが、半導体回路上では、Ｑの大きい素子を得ることが一般的に困難である。つまり、従来は、半導体回路上にて減衰特性の良好なフィルタ回路を構成することは困難であった。
【００１１】
一般的に素子のＱは、コンデンサだと、チップ部品等の場合で１０００〜数千、半導体内に形成される場合で１００〜数百であり、コイルだと、チップ部品等の場合で１０〜数十、半導体内に形成される場合で５〜１０程度である。これ以上のＱを必要とする場合には、非常に特殊（極端にコストが高く大型）なレゾネータ類（誘電体・水晶・圧電素子等）の素子を必要とする。
【００１２】
或いは、大きな減衰量を得るために回路を多段に接続する方法もあるが、この場合も、やはりフィルタ回路のコストアップと大型・重量化を招いてしまう。
【００１３】
本発明は、上記のような問題点を解決するためになされたもので、大きな減衰量を小型且つ低コストで実現可能なフィルタ回路を提供することを目的とする。
【課題を解決するための手段】
【００１４】
上記課題を解決するため、本発明のフィルタ回路は、入力信号を２つの信号に分配する分配器と、前記分配器により分配された一方の信号の位相を変化させる位相器と、前記位相器により位相が変化された信号と前記分配器により分配された他方の信号とを合成して出力信号とする合成器と、を備えることを特徴としている。
【００１５】
本発明のフィルタ回路においては、当該フィルタ回路により減衰すべき所望の周波数成分において、前記合成器に入力される双方の信号の位相差が１８０度となり、且つ、双方の信号の振幅が互いに等しくなるように設定されていることが好ましい。
【００１６】
本発明のフィルタ回路においては、前記分配器により分配された少なくとも一方の信号の振幅を変化させる振幅変化手段を備えることも好ましい。
【００１７】
この場合、前記振幅変化手段は、振幅の変化割合が可変に構成された可変増幅器であることが好ましい。
【００１８】
本発明のフィルタ回路においては、前記振幅変化手段を前記分配器と前記位相器との間に備えることを好ましい例とする。
【００１９】
或いは、本発明のフィルタ回路においては、前記振幅変化手段を前記位相器と前記合成器との間に備えることを好ましい例とする。
【００２０】
或いは、本発明のフィルタ回路においては、前記振幅変化手段を前記分配器と前記合成器との間に備えることを好ましい例とする。
【００２１】
或いは、本発明のフィルタ回路においては、前記振幅変化手段を、前記分配器と前記位相器との間と、前記分配器と前記合成器との間と、にそれぞれ備えることを好ましい例とする。
【００２２】
本発明のフィルタ回路においては、前記位相器は、位相の変化量が可変に構成された可変位相器であることが好ましい。
【００２３】
本発明のフィルタ回路は、入力信号を２つの信号に分配する分配器と、前記分配器により分配された一方の信号の位相を変化させる第１位相器と、前記分配器により分配された他方の信号の位相を変化させる第２位相器と、前記第１及び第２位相器によりそれぞれ位相が変化された双方の信号を合成して出力信号とする合成器と、を備えることを特徴としている。
【００２４】
この場合、前記第１及び第２位相器のうち一方は信号の位相を早めるように、他方は信号の位相を遅らせるように、それぞれ構成されていることを好ましい例とする。
【００２５】
また、本発明のフィルタ回路は、入力信号を２つの信号に分配する分配器と、前記分配器により分配された一方の信号を減衰させるフィルタと、前記分配器により分配された他方の信号の振幅を調整するための可変増幅器と、前記他方の信号の位相を調整するための可変位相器と、前記可変位相器による位相調整及び前記可変増幅器による振幅調整を何れかの順序で経た前記他方の信号と、前記フィルタによる減衰を経た前記一方の信号と、を合成して出力信号とする合成器と、を備えることを特徴としている。
【００２６】
この場合、前記フィルタにより減衰すべき所望の周波数成分において、前記合成器に入力される双方の信号の位相差が１８０度となり、且つ、双方の信号の振幅が互いに等しくなるように、前記可変位相器と前記可変増幅器とがそれぞれ調整されていることが好ましい。
【００２７】
また、本発明のフィルタ回路は、入力信号を複数の信号に分配する分配器と、前記分配器により分配された信号を合成する合成器と、前記分配器による分配後、且つ、前記合成器による合成前の信号、のうち少なくとも何れか１つの信号の位相を変化させる位相器と、を備えることを特徴としている。
【発明の効果】
【００２８】
本発明によれば、分配した信号のうち少なくとも何れか１つの信号の位相を変化させ、該位相変化後の信号を、分配された他の信号と合成するので、該合成において信号を相殺によって減衰させることができる。
【００２９】
よって、信号の減衰レベルは合成される各信号の位相及び振幅のみに依存することとなる。すなわち、減衰レベルが回路素子のＱに依存することがないため、回路素子のＱとして大きな値を必要としなくなる。
【００３０】
その結果、大きな減衰量を小型且つ低コストで実現可能となる。
【発明を実施するための最良の形態】
【００３１】
以下、図面を参照して、本発明に係る実施形態について説明する。
【００３２】
〔第１の実施形態〕
先ず、本発明に係る第１の実施形態について説明する。
【００３３】
図１に示すように、第１の実施形態に係るフィルタ回路１０は、分配器１と位相器２と合成器３とを備えている。
【００３４】
分配器１は、当該フィルタ回路１０への入力信号を２つに分配する。具体的には、例えば、２等分する。分配器１により分配された一方の信号は位相器２に入力され、他方は合成器３の第１入力端３１に入力される。
【００３５】
位相器２は、分配器１より入力される信号を、位相を変化させて出力する。具体的には、位相器２は、当該フィルタ１０により減衰すべき周波数の信号成分（フィルタ回路１０により減衰すべき所望の周波数成分）の位相を、例えば、１８０度変化（例えば遅延）させて出力する。
【００３６】
位相器２の出力は、合成器３の第２入力端３２に入力される。
【００３７】
合成器３は、第１及び第２の入力端３１、３２からそれぞれ入力される信号を合成（加算）し、出力信号として出力する。
【００３８】
図２は、フィルタ回路１０のより具体的な回路構成の例を示す図である。
【００３９】
図２に示すように、分配器１は、例えば、抵抗Ｒ１、抵抗Ｒ２及び抵抗Ｒ３により構成されている。
【００４０】
位相器２は、例えば、ストリップラインＳＴ１により構成されている。
【００４１】
合成器３は、例えば、抵抗Ｒ４、抵抗Ｒ５及び抵抗Ｒ６により構成されている。
【００４２】
このうち分配器１においては、抵抗Ｒ１の一端は信号（入力信号）の入力端に接続され、抵抗Ｒ１の他端は抵抗Ｒ２及びＲ３の各々の一端に接続されている。
【００４３】
また、合成器３においては、抵抗Ｒ６の一端は信号（出力信号）の出力端に接続され、抵抗Ｒ６の他端は抵抗Ｒ４及びＲ５の各々の一端に接続されている。
【００４４】
更に、抵抗Ｒ４の他端と抵抗Ｒ２の他端との間にはストリップラインＳＴ１が挿入され、抵抗Ｒ５と抵抗Ｒ３の他端どうしは相互に接続されている。
【００４５】
ここで、分配器１により信号を２等分できるように、抵抗Ｒ２から抵抗Ｒ４までの総抵抗（抵抗Ｒ２、ストリップラインＳＴ１及び抵抗Ｒ４の総抵抗）と、抵抗Ｒ３から抵抗Ｒ５までの総抵抗（抵抗Ｒ３及び抵抗Ｒ５の総抵抗）と、が相互に等しくなるように、各素子のパラメータが設定されている。
【００４６】
具体的には、例えば、抵抗Ｒ１、Ｒ２、Ｒ４及びＲ６の抵抗値はそれぞれ１８Ω、抵抗Ｒ３及びＲ５の抵抗値はそれぞれ２２．２２Ωとなっている。
【００４７】
また、ストリップラインＳＴ１は、信号の位相を１８０度だけ遅延させることが可能となるように、該ストリップラインＳＴ１の幅及び長さが設定されている。
【００４８】
次に、動作を説明する。
【００４９】
なお、フィルタ回路１０において減衰すべき周波数をＦ（ＭＨｚ）、分配器１への入力信号をＡ・ｃｏｓ（２πＦｔ）とする。
【００５０】
先ず、分配器１は、入力信号を等分に２分配し出力する。
【００５１】
このため、合成器３の第１入力端子３１に入力される信号は、（Ａ／２）・ｃｏｓ（２πＦｔ）となる。
【００５２】
また、位相器２に入力される信号も、同じく（Ａ／２）・ｃｏｓ（２πＦｔ）となる。
【００５３】
位相器２は、周波数Ｆ（ＭＨｚ）において、１８０度の位相遅延を発生させるように遅延設定がされているため、位相器２から出力されて合成器３の入力端子３２へ入力される信号は、（Ａ／２）・ｃｏｓ（２πＦｔ−π）となる。
【００５４】
合成器３は、２つの入力端子３１、３２から入力される信号を合成（加算）して出力する。
【００５５】
ここで、合成器３から出力される信号は、理論上では（Ａ／２）・ｃｏｓ（２πＦｔ）＋（Ａ／２）・ｃｏｓ（２πＦｔ−π）となる。つまり、合成器３では、位相が相互に１８０度異なる他は相互に等しい信号が加算されるため、合成器３からの出力は、周波数Ｆ（ＭＨｚ）においては“０”となる。
【００５６】
このように、フィルタ回路１０によれば、大きな減衰量を得ることができる。
【００５７】
次に、フィルタ回路１０による具体的な減衰量について図３及び図４を参照して説明する。
【００５８】
図３は位相器２の特性（位相変化特性及び減衰特性）を示し、図４はフィルタ回路１０の減衰特性を示す。
【００５９】
なお、本実施形態の場合、フィルタ回路１０にて減衰すべき周波数は、例えば約１．４ＧＨｚであるとする。
【００６０】
図３に示すように、減衰すべき周波数（例えば、約１．４ＧＨｚ）においては、位相器２による位相変化量は−１８０度であり、該位相器２による減衰量は０ｄＢとなっている。
【００６１】
また、図４に示すように、フィルタ回路１０によれば、減衰すべき周波数（例えば、約１．４ＧＨｚ）において、約−１００ｄＢの大きな減衰を得ることができている。
【００６２】
以上のように、第１の実施形態に係るフィルタ回路１０によれば、該フィルタ回路１０による減衰量は、合成器３にて合成される信号の位相差及び振幅のみに依存する。
【００６３】
このため、本実施形態で説明したように、フィルタ回路１０により減衰すべき所望の周波数成分において、合成器３に入力される双方の信号の位相差が１８０度となり、且つ、双方の信号の振幅が互いに等しくなるような設定とする結果として、合成器３での合成前の信号を、該合成器３での合成により大幅に打ち消し合う（相殺させる）ことができる。よって、フィルタ回路１０からの出力信号は入力信号に比べて大幅に減衰させることが可能となる。
【００６４】
また、回路素子のＱに依存することなく、大きな減衰量を得ることができるので、回路素子はＱの小さい素子で良い。このため、小型で軽量且つ低コストなフィルタ回路１０とすることができるとともに、一般的に大きなＱの素子を形成することが困難である半導体回路内にも、高減衰を必要とするフィルタ回路を好適に設けることが可能となる。
【００６５】
〔第２の実施形態〕
次に、本発明に係る第２の実施形態について説明する。
【００６６】
なお、図５に示す第２の実施形態に係るフィルタ回路２０の構成のうち、第１の実施形態に係るフィルタ回路１０と同様の構成については同一の符号を付している。
【００６７】
図５に示すように、第２の実施形態に係るフィルタ回路２０は、分配器１により分配された他方の信号も位相器により位相変化させる点で、上記の第１の実施形態に係るフィルタ回路１０と異なる。
【００６８】
すなわち、フィルタ回路２０は、分配器１と第１位相器４、第２位相器５と合成器３とを備えている。
【００６９】
このうち分配器１は、当該フィルタ回路１０への入力信号を２つに分配する。具体的には、例えば、２等分する。分配器１により分配された一方の信号は第１位相器４に、他方の信号は第２位相器５に、それぞれ入力される。
【００７０】
第１及び第２位相器４、５は、分配器１より入力される信号を、位相を変化させて出力する。具体的には、当該フィルタ１０により減衰すべき周波数の信号成分の位相を、例えば、第１位相器４は９０度だけ遅らせる一方で、第２位相器５は９０度だけ早めて、それぞれ出力する。これにより、第１及び第２位相器４、５から出力される信号の相互の位相差は、当該フィルタ１０により減衰すべき周波数の信号成分において、第１の実施形態の場合と同様に１８０度となる。
【００７１】
また、第１位相器４の出力は合成器３の第２入力端３２に、第２位相器５の出力は合成器３の第１入力端３１に、それぞれ入力される。
【００７２】
合成器３は、第１及び第２の入力端３１、３２からそれぞれ入力される信号を合成（加算）し、出力信号として出力する。
【００７３】
図６は、フィルタ回路２０のより具体的な回路構成の例を示す図である。
【００７４】
図６に示すように、分配器１は、第１の実施形態の場合と同様に、例えば、抵抗Ｒ１、抵抗Ｒ２及び抵抗Ｒ３により構成されている。
【００７５】
第１位相器４は、例えば、コンデンサＣ１及びコイルＬ１により構成されている。
【００７６】
第２位相器５は、例えば、コイルＬ２及びコンデンサＣ２により構成されている。
【００７７】
また、合成器３は、第１の実施形態の場合と同様に、例えば、抵抗Ｒ４、抵抗Ｒ５及び抵抗Ｒ６により構成されている。
【００７８】
このうち分配器１においては、抵抗Ｒ１の一端は信号（入力信号）の入力端に接続され、抵抗Ｒ１の他端は抵抗Ｒ２及びＲ３の各々の一端に接続されている。
【００７９】
また、合成器３においては、抵抗Ｒ６の一端は信号（出力信号）の出力端に接続され、抵抗Ｒ６の他端は抵抗Ｒ４及びＲ５の各々の一端に接続されている。
【００８０】
更に、抵抗Ｒ２の他端は第１位相器４のコンデンサＣ１の一端に接続され、このコンデンサＣ１の他端は、抵抗Ｒ４の他端及びコイルＬ１の一端にそれぞれ接続されている。また、コイルＬ１の他端はグランドに接続されている。
【００８１】
他方、抵抗Ｒ３の他端は第２位相器５のコイルＬ２の一端に接続され、このコイルＬ２の他端は、抵抗Ｒ５の他端及びコンデンサＣ２の一端にそれぞれ接続されている。また、コンデンサＣ２の他端はグランドに接続されている。
【００８２】
ここで、分配器１により信号を２等分できるように、抵抗Ｒ２から抵抗Ｒ４までの総抵抗と、抵抗Ｒ３から抵抗Ｒ５までの総抵抗と、が相互に等しくなるとともに、第１位相器４は信号を９０度だけ遅らせることができる一方で第２位相器５は信号を９０度だけ早めることができるように、各素子のパラメータが設定されている。
【００８３】
具体的には、例えば、抵抗Ｒ１、Ｒ２、Ｒ３、Ｒ４、Ｒ５及びＲ６の抵抗値はそれぞれ１８Ω、コンデンサＣ１の容量は２．９６５ｐＦ（ピコファラド）、コンデンサＣ２の容量は１０ｐＦ、コイルＬ１及びＬ２のインダクタンスはそれぞれ１０ｎＨ（ナノヘンリー）となっている。
【００８４】
次に、動作を説明する。
【００８５】
なお、フィルタ回路２０において減衰すべき周波数をＦ（ＭＨｚ）、分配器１への入力信号をＡ・ｃｏｓ（２πＦｔ）とする。
【００８６】
先ず、分配器１は、入力信号を等分に２分配し出力する。
【００８７】
このため、第１及び第２位相器４、５に入力される信号は、それぞれ（Ａ／２）・ｃｏｓ（２πＦｔ）となる。
【００８８】
また、位相器４は、周波数Ｆ（ＭＨｚ）において、９０度だけ位相を遅らせるような設定とされているため、第１位相器４から出力されて合成器３の入力端子３１へ入力される信号は、（Ａ／２）・ｃｏｓ（２πＦｔ−π／２）となる。
【００８９】
他方、第２位相器５は、周波数Ｆ（ＭＨｚ）において、９０度だけ位相を早めるような設定とされているため、位相器５から出力されて合成器３の入力端子３２へ入力される信号は、（Ａ／２）・ｃｏｓ（２πＦｔ＋π／２）となる。
【００９０】
合成器３は、２つの入力端子３１、３２から入力される信号を合成（加算）して出力する。
【００９１】
つまり、理論上は、合成器３では、位相が１８０度異なる他は相互に等しい信号が加算されるため、合成器３からの出力は、周波数Ｆ（ＭＨｚ）においては”０”となる。
【００９２】
このように、フィルタ回路２０によれば、大きな減衰量を得ることができる。
【００９３】
次に、フィルタ回路２０による具体的な減衰量について図７乃至図９を参照して説明する。
【００９４】
図７は第１位相器４の特性（位相変化特性及び減衰特性）を、図８は第２位相器５の特性（位相変化特性及び減衰特性）を、図９はフィルタ回路１０の減衰特性を示す。
【００９５】
なお、本実施形態の場合、フィルタ回路２０にて減衰すべき周波数は、例えば約８４０ＭＨｚであるとする。
【００９６】
図９に示すように、フィルタ回路２０によれば、減衰すべき周波数（例えば、約８４０ＭＨｚ）において、約−１００ｄＢ以上の大きな減衰を得ることができている。
【００９７】
ここで、図７及び図８から分かるように、図９に示される減衰のピークは、第１位相器４と第２位相器５により発生される位相差が丁度１８０度となる周波数となっている。
【００９８】
以上のような第２の実施形態に係るフィルタ回路２０によれば、第１の実施形態に係るフィルタ回路１０の場合と同様の効果が得られる他、第１の実施形態に係るフィルタ回路１０の場合よりも回路を小型且つ精度良く構成することができる。これは、ストリップラインＳＴ１の寸法を調節することにより位相変化量を制御する場合よりも、コイルＬ１、Ｌ２、コンデンサＣ１、Ｃ２といった部品を適宜選択する方が、狙い通りの位相変化量を容易に実現できるためである。
【００９９】
〔第３の実施形態〕
次に、本発明に係る第３の実施形態について説明する。
【０１００】
第３の実施形態では、例えば、上記の第１の実施形態に係るフィルタ回路１０が、分配器１により分配された少なくとも一方の信号の振幅を変化させる振幅変化手段を更に備える例について説明する。
【０１０１】
この振幅変化手段は、分配器１による分配後、且つ、合成器３による合成前の信号の振幅を変化させることにより、合成器３により合成される双方の信号の振幅を相互に等しくさせるものである。
【０１０２】
このような振幅変化手段は、例えば、図１０乃至図１３に示すように、振幅の変化割合が可変に構成された（所望の変化割合となるように任意に調整できるように構成された）可変増幅器６である。
【０１０３】
可変増幅器６は、具体的には、例えば、図１０に示すように分配器１と位相器２との間に挿入されていても良いし、図１１に示すように位相器２と合成器３との間に挿入されていても良いし、図１２に示すように分配器１と合成器３との間に挿入されていても良い。
【０１０４】
或いは、例えば、図１３に示すように、分配器１と位相器２との間には可変増幅器６が、分配器１と合成器３との間には可変増幅器６と同様の可変増幅器７が、それぞれ挿入されていても良い。
【０１０５】
図１０乃至図１３に示す何れの場合にも、フィルタ回路１０が、減衰すべき周波数において好適な減衰量を得るためには、該周波数の信号の振幅が合成器３への入力に際して相互に等しいことが重要である、その為に、増幅（或いは減衰）量を調整することによって、双方の信号振幅を等しくする機能を有することは有用である。
【０１０６】
ここで、可変増幅器６、７は、信号を増幅のみさせることが可能なものであっても良いが、増幅及び減衰が可能なものであっても良い。例えば、図１３に示す例の場合には、可変増幅器６は増幅のみ可能であれば良いが、可変増幅器７は減衰も可能であることが好ましく、可変増幅器６により信号を増幅させる一方で可変増幅器７により信号を減衰させることによって、好適に、合成器３に入力させる双方の信号振幅を互いに等しくさせることが可能となる。
【０１０７】
以上のような第３の実施形態によれば、可変増幅器６（或いは可変増幅器６、７）を更に備えるので、合成器３に入力される双方の信号を、確実に相互に等しい振幅に調整することが可能となる。よって、より確実に大きな減衰量を得ることができるようになる。
【０１０８】
なお、可変増幅器６は、第２の実施形態に係るフィルタ回路２０に設けることとしても良いのは勿論である。この場合、可変増幅器６は、例えば、分配器１と位相器４との間、位相器４と合成器３との間、分配器１と位相器５との間、位相器５と合成器３の間に設けることが挙げられる。また、第２の実施形態に係るフィルタ回路２０に設ける場合も、例えば、図１３に示す場合と同様に、分配器１により分配された双方の信号経路に可変増幅器６、７を設けることとしても良い。
【０１０９】
〔第４の実施形態〕
次に、本発明に係る第４の実施形態について説明する。
【０１１０】
第４の実施形態では、図１４に示すように、上記の第１の実施形態に係るフィルタ回路１０が、位相器２に代えて、位相の変化量が可変に構成された可変位相器４０を備える例について説明する。すなわち、可変位相器４０は、例えば、分配器１と合成器３との間に挿入されている。
【０１１１】
フィルタ回路１０が、減衰すべき周波数において好適な減衰量を得るためには、該周波数において、合成器３に入力される双方の信号の位相差が正確に１８０度となっていることが重要である、その為に、位相の変化量を調節することによって、双方の信号の位相差を正確に１８０度とする機能を有することは有用である。
【０１１２】
以上のような第４の実施形態によれば、可変位相器４０を備えるので、該可変位相器４０による位相変化量を適宜に調整することによって、合成器３に入力される双方の信号の位相差を所望の値（具体的には正確に１８０度）とすることができる。よって、より確実に大きな減衰量を得ることができるようになる。
【０１１３】
なお、可変位相器４０は、第２の実施形態に係るフィルタ回路２０に設けることとしても良いのは勿論である。この場合、一方の位相器（位相器４と位相器５の何れか一方）のみを可変位相器４０に代えても良いし、或いは、位相器４及び位相器５の双方を可変位相器４０に代えても良い。
【０１１４】
〔第５の実施形態〕
次に、本発明に係る第５の実施形態について説明する。
【０１１５】
なお、第５の実施形態に係るフィルタ回路の構成のうち、第１の実施形態に係るフィルタ回路１０或いは第２の実施形態に係るフィルタ回路２０と同様の構成については同一の符号を付すとともにその説明を一部省略する。
【０１１６】
図１５に示すように、第５の実施形態に係るフィルタ回路５０は、入力信号を２つの信号に分配する分配器１と、分配器１により分配された一方の信号を減衰させるフィルタ８と、分配器１により分配された他方の信号の振幅を調整するための可変増幅器６と、可変増幅器６による振幅調整後の信号の位相を調整するための可変位相器４０と、可変位相器４０による位相調整後の信号とフィルタ８による減衰後の信号とを合成し、出力信号として出力する合成器３と、を備えている。
【０１１７】
ここで、フィルタ８により減衰すべき所望の周波数成分において、合成器３に入力される双方の信号の振幅が互いに等しくなるように、可変増幅器６による振幅の変化割合が調整（設定）されている（第１の設定）。
【０１１８】
更に、フィルタ８により減衰すべき所望の周波数成分において、合成器３に入力される双方の信号の位相差が正確に１８０度となるように、可変位相器４０による位相の変化量が調整（設定）されている（第２の設定）。
【０１１９】
なお、具体的な調整の順序としては、例えば、先ず、上記第１の設定を先に行い、次いで、上記第２の設定を行う。なお、その逆でも良い。
【０１２０】
このようにして、フィルタ回路５０によれば、フィルタ８のみでは実現できない大きな減衰量を確実に得ることができる。
【０１２１】
なお、上記の第５の実施形態では、可変増幅器６を分配器１と可変位相器４０との間に備える例を説明したが、可変増幅器６は可変位相器４０と合成器３との間に備えることとしても良い。
【０１２２】
また、例えば、図１３に示す場合と同様に、分配器１により分配された双方の信号経路に可変増幅器６、７を設けることとしても良い。
【０１２３】
なお、以上の各実施形態では、分配器１が入力信号を２分配する例について説明したが、本発明はこれに限らず、例えば、分配器１が入力信号を３つ以上に分配するようにし、これら３つ以上の信号のうち少なくとも何れか１つの信号を位相器或いは可変位相器により位相変化させた後に、これら３つ以上の信号を合成器３にて合成するようにしても良い。この場合、分配された各信号経路において、以上において説明した位相器２、４、５、可変位相器４０、可変増幅器６、７及びフィルタ８を適宜に配置することにより、分配器１により分配された各信号を、合成器３による合成の段階では相互に相殺可能な状態に変化させることができる。
【図面の簡単な説明】
【０１２４】
【図１】第１の実施形態に係るフィルタ回路の模式的な回路構成を示す図である。
【図２】図１のフィルタ回路の具体的な回路構成を示す図である。
【図３】図１のフィルタ回路が備える位相器の特性を示す図である。
【図４】図１のフィルタ回路の減衰特性を示す図である。
【図５】第２の実施形態に係るフィルタ回路の模式的な回路構成を示す図である。
【図６】図５のフィルタ回路の具体的な回路構成を示す図である。
【図７】図５のフィルタ回路が備える一方の位相器の特性を示す図である。
【図８】図５のフィルタ回路が備える他方の位相器の特性を示す図である。
【図９】図５のフィルタ回路の減衰特性を示す図である。
【図１０】第３の実施形態に係るフィルタ回路の模式的な回路構成の第１の例を示す図である。
【図１１】第３の実施形態に係るフィルタ回路の模式的な回路構成の第２の例を示す図である。
【図１２】第３の実施形態に係るフィルタ回路の模式的な回路構成の第３の例を示す図である。
【図１３】第３の実施形態に係るフィルタ回路の模式的な回路構成の第４の例を示す図である。
【図１４】第４の実施形態に係るフィルタ回路の模式的な回路構成を示す図である。
【図１５】第５の実施形態に係るフィルタ回路の模式的な回路構成を示す図である。
【図１６】従来のフィルタ回路の回路構成を示す図である。
【図１７】図１６のフィルタ回路の減衰特性を示す図である。
【図１８】図１７の拡大図である。
【符号の説明】
【０１２５】
１    分配器
２    位相器
３    合成器
１０  フィルタ回路
４    第１位相器
５    第２位相器
２０  フィルタ回路
６    可変増幅器（振幅変化手段）
７    可変増幅器（振幅変化手段）
４０  可変位相器
８    フィルタ
５０  フィルタ回路
【図１】
2005136590.tif 000003
【図２】
2005136590.tif 000004
【図３】
2005136590.tif 000005
【図４】
2005136590.tif 000006
【図５】
2005136590.tif 000007
【図６】
2005136590.tif 000008
【図７】
2005136590.tif 000009
【図８】
2005136590.tif 000010
【図９】
2005136590.tif 000011
【図１０】
2005136590.tif 000012
【図１１】
2005136590.tif 000013
【図１２】
2005136590.tif 000014
【図１３】
2005136590.tif 000015
【図１４】
2005136590.tif 000016
【図１５】
2005136590.tif 000017
【図１６】
2005136590.tif 000018
【図１７】
2005136590.tif 000019
【図１８】
2005136590.tif 000020